(57)【要約】【課題】無線信号を受信して復調する無線受信装置の消費電力を低減するのに好適な動作制御装置、無線受信装置及び動作制御方法を提供する。【解決手段】無線受信装置１を、アンテナ１０１と、ＬＮＡ１０２と、検波回路１０３と、ＬＰＦ１０４と、アンプ１０５と、判定部１０６と、動作制御部１０７と、ベースバンド処理部１０８とを含んだ構成とし、動作制御部１０７を、第１の検波窓信号発生部１０７ａと、判定信号検出部１０７ｂと、第２の検波窓信号発生部１０７ｃと、同期信号生成部１０７ｄと、第３の検波窓信号発生部１０７ｅと、同期信号判定部１０７ｆと、セレクター１０７ｇとを含んだ構成とした。そして、同期信号生成部１０７ｄで同期をとっている間に、第２の検波窓信号発生部１０７ｃで発生した、予め解っているパルス受信周期に応じた周期の第２の検波窓信号によってＬＮＡ１０２の動作をＯＮ−ＯＦＦ制御する。【選択図】図１
2011182157.tif 000002
【特許請求の範囲】
【請求項１】
一定周期で断続的に受信される情報信号を有する無線信号に対して、前記情報信号の検出に係る所定の信号処理を行う被制御装置の動作を制御する動作制御装置であって、
前記無線信号から検波された検波信号に基づき前記情報信号の内容を判定する判定装置の出力する、前記情報信号が有るときの判定信号を検出する判定信号検出手段と、
前記無線信号の受信を開始した初期状態における前記判定信号を検出する期間である第１の検波期間において前記被制御装置を動作させる信号である第１の検波窓信号を発生する第１の検波窓信号発生手段と、
前記第１の検波期間において前記判定信号検出手段で検出される、Ｎ（Ｎは１以上の整数）個の前記判定信号の検出タイミングに基づく仮の検波周期で、第２の検波期間だけ前記被制御装置を動作させる信号である第２の検波窓信号を発生する第２の検波窓信号発生手段と、
前記判定信号の検出タイミングが前記第２の検波期間の端になったことを検出する為の監視クロックを生成する監視クロック生成手段と、
前記監視クロックと前記判定信号の検出タイミングに基づき、前記第２の検波窓信号発生手段の発生する第２の検波窓信号のタイミングを変更する検波窓調整信号を発生する第２の検波窓調整手段と、
前記被制御装置に供給する信号を、前記第１の検波窓信号から前記第２の検波窓信号に切り替える第１の供給信号切替手段と、
前記判定装置の出力する判定信号と同期する同期信号を生成する同期信号生成手段と、
前記同期信号生成手段で生成した同期信号の周期で、前記第２の検波期間以下となる第３の検波期間だけ前記被制御装置を動作せる信号である第３の検波窓信号を発生する第３の検波窓信号発生手段と、
前記被制御装置に供給する信号を、前記第２の検波窓信号から前記第３の検波窓信号に切り替える第２の供給信号切替手段と、を備えることを特徴とする動作制御装置。
【請求項２】
前記第２の検波窓信号発生手段は、前記判定信号検出手段で１個の前記判定信号が検出されると、該検出された判定信号の検出タイミングと前記情報信号の受信周期情報とに基づき、該受信周期情報の示す受信周期に応じた仮の検波周期で前記第２の検波窓信号を発生することを特徴とする請求項１に記載の動作制御装置。
【請求項３】
前記第２の検波窓信号発生手段は、前記判定信号検出手段で２個以上の前記判定信号が検出されると、該検出された２個以上の判定信号の検出タイミングに基づき、前記判定信号の検波周期に応じた仮の検波周期で前記第２の検波窓信号を発生することを特徴とする請求項１に記載の動作制御装置。
【請求項４】
前記第２の検波窓信号発生手段は、発振回路とカウンター回路とを有し、前記判定信号検出手段における判定信号の検出を契機に、前記発振回路からの出力信号を前記カウンター回路でカウントし、前記カウンター回路のカウント値が前記仮の検波周期に対応するカウント値になるタイミングでカウント値をリセットし、前記カウンター回路のカウント値が前記仮の検波周期に対応するカウント値を初期値とする検波窓カウント値と一致するタイミングで前記第２の検波窓信号を出力し、前記検波窓カウント値は前記検波窓調整信号に基づき変更することが可能なように構成されていることを特徴とする請求項２又は請求項３に記載の動作制御装置。
【請求項５】
前記監視クロック生成手段は、前記第２の検波窓信号に基づいて前記被制御装置の動作を開始する時点から所定の時間遅れた時点で立ち上がり又は立ち下がりエッジとなる前記発振回路からの出力信号である第１の監視クロックと、前記第２の検波窓信号に基づいて前記被制御装置の動作を停止する時点から所定の時間早い時点で立ち上がりまたは立ち下がりエッジとなる前記発振回路からの出力信号である第２の監視クロックとを出力することを特徴とする請求項１乃至請求項４に記載の動作制御装置。
【請求項６】
前記第２の検波窓調整手段は、前記判定信号検出手段からの出力信号である判定信号を、前記第１の監視クロック及び第２の監視クロックの立ち上がり又は立ち下りエッジによりラッチし、前記判定信号が前記第１の監視クロックでラッチされた場合には、前記被制御装置の動作を開始する時点を早める為の検波窓調整信号を前記第２の検波窓信号発生手段へ出力し、前記判定信号が前記第２の監視クロックでラッチされた場合には、前記被制御装置の動作を開始する時点を遅くする為の検波窓調整信号を前記第２の検波窓信号発生手段へ出力することを特徴とする請求項１乃至請求項５に記載の動作制御装置。
【請求項７】
前記同期信号生成手段は、フィードバック制御によって前記同期信号を生成するようになっており、
前記同期信号生成手段で生成された同期信号が安定した同期信号であるか否かを判定する同期信号判定手段を備え、
前記第２の供給信号切替手段は、前記同期信号判定手段で前記生成された同期信号が安定した同期信号であると判定されたときに、前記被制御装置に供給する信号を、前記第２の検波窓信号から前記第３の検波窓信号に切り替えることを特徴とする請求項１乃至請求項６のいずれか１項に記載の動作制御装置。
【請求項８】
前記同期信号生成手段は、ＰＬＬ（Ｐｈａｓｅ−ｌｏｃｋｅｄ  ｌｏｏｐ）回路を有し、
前記同期信号判定手段は、前記ＰＬＬ回路を構成する所定の回路部の出力信号に基づき、前記同期信号生成手段で生成される同期信号が安定した同期信号であるか否かを判定することを特徴とする請求項７に記載の動作制御装置。
【請求項９】
前記同期信号判定手段は、前記ＰＬＬ回路を構成するＬＦ（Ｌｏｏｐ  Ｆｉｌｔｅｒ）回路の出力信号をデジタル信号に変換するＡ／Ｄ変換部と、このデジタル信号を一定時間遅延させる遅延部と、該遅延部で遅延したデジタル信号と前記Ａ／Ｄ変換部から出力されるデジタル信号との差分信号を生成する差分信号生成部とを含み、前記差分信号の変化が一定範囲内に収まっているときに前記同期信号生成手段で生成された同期信号が安定した同期信号であると判定し、そうでないときに前記同期信号生成手段で生成された同期信号が安定した同期信号ではないと判定することを特徴とする請求項８に記載の動作制御装置。
【請求項１０】
前記第３の検波窓信号発生手段は、前記同期信号生成手段で生成した同期信号を前記第２の検波期間よりも短い所定の時間だけ遅延させ、該遅延させた同期信号と前記生成した同期信号との差分の信号を前記第３の検波窓信号として生成することを特徴とする請求項１乃至請求項９のいずれか１項に記載の動作制御装置。
【請求項１１】
前記第１の検波窓信号発生手段は、前記Ｎ個の判定信号の検出に応じて、前記第１の検波信号の状態を前記被制御装置の動作を停止する状態に変更することを特徴とする請求項１乃至請求項１０のいずれか１項に記載の動作制御装置。
【請求項１２】
所定周波数帯域の電波を受信するアンテナと、
前記アンテナで受信した無線信号を増幅する増幅装置と、
前記増幅装置で増幅した無線信号を整流して検波信号を生成する検波装置と、
前記検波信号に基づき前記受信した無線信号中に情報信号が有るか否かを判定する判定装置と、
請求項１乃至請求項１１のいずれか１項に記載の動作制御装置と、を備え、
前記動作制御装置によって、前記判定装置以外の少なくとも前記増幅装置の動作を制御することを特徴とする無線受信装置。
【請求項１３】
一定周期で断続的に受信される情報信号を有する無線信号に対して、前記情報信号の検出に係る所定の信号処理を行う被制御装置の動作を制御する動作制御方法であって、
前記無線信号から検波された検波信号に基づき前記情報信号の内容を判定する判定装置の出力する、前記情報信号が有るときの判定信号を検出する判定信号検出ステップと、
前記無線信号の受信を開始した初期状態における前記判定信号を検出する期間である第１の検波期間において前記被制御装置を動作させる信号である第１の検波窓信号を発生する第１の検波窓信号発生ステップと、
前記第１の検波期間において前記判定信号検出ステップで検出される、Ｎ（Ｎは１以上の整数）個の前記判定信号の検出タイミングに基づく仮の検波周期で、第２の検波期間だけ前記被制御装置を動作させる信号である第２の検波窓信号を発生する第２の検波窓信号発生ステップと、
前記判定信号の検出タイミングが前記第２の検波期間の端になったことを検出する為の監視クロックを生成する監視クロック生成ステップと、
前記監視クロックと前記判定信号の検出タイミングとに基づき、前記第２の検波窓信号発生ステップにおいて発生する第２の検波窓信号のタイミングを変更する検波窓調整信号を発生する第２の検波窓調整ステップと、
前記被制御装置に供給する信号を、前記第１の検波窓信号から前記第２の検波窓信号に切り替える第１の供給信号切替ステップと、
前記判定装置の出力する判定信号と同期する同期信号を生成する同期信号生成ステップと、
前記同期信号生成ステップで生成した同期信号の周期で、前記第２の検波期間以下となる第３の検波期間において前記被制御装置を動作せる信号である第３の検波窓信号を発生する第３の検波窓信号発生ステップと、
前記被制御装置に供給する信号を、前記第２の検波窓信号から前記第３の検波窓信号に切り替える第２の供給信号切替ステップと、を含むことを特徴とする動作制御方法。
【発明の詳細な説明】
【技術分野】
【０００１】
本発明は、無線信号を受信する無線受信装置に係り、特に、受信した無線信号に含まれる情報信号を検出する装置の消費電力を低減するのに好適な動作制御装置、無線受信装置及び動作制御方法に関する。
【背景技術】
【０００２】
受信された信号の包絡線を検出しベースバンド信号を復調する回路は古くから使用されており、様々な回路が考え出されている。包絡線は信号の尖頭値を結んだものであり交流成分の絶対値を平滑化して得られる。また信号を二乗し平滑化して包絡線検出に替える方法も古くからあり、「二乗検波」などと呼ばれている。例えば、特許文献１には、信号の二乗値を得る二乗検出回路とそれを使った振幅検波の方法が記載されている。
【０００３】
また、ＵＷＢ（Ｕｌｔｒａ  Ｗｉｄｅ  Ｂａｎｄ）の周波数帯域の信号、特に搬送波を用いないＩＲ（Ｉｍｐｕｌｓｅ  Ｒａｄｉｏ）によるＵＷＢ通信（以下「ＵＷＢ−ＩＲ」通信と言う）においても包絡線検出を使った受信機があり、例えば、特許文献２または特許文献３においてその有効性が記載されている。これらの特許文献２または特許文献３では、整流回路と積分回路が用いられているが、これは信号の交流成分の絶対値を平滑化して包絡線を求めるものである。
【０００４】
また、非特許文献１には、ＵＷＢ−ＩＲの信号が断続的であることから、信号がないときに送受信回路において電源を遮断して装置の消費電力を低減させる技術について開示されている。
【０００５】
また、特許文献４の無線受信装置は、ＵＷＢパルスの周期における一部の期間である第１の積分期間について受信信号を積分する第１の積分回路と、その周期における第１の積分期間とは異なる一部の期間である第２の積分期間について積分する第２の積分回路と、初期状態においてパルスが受信されるパルスタイミングを同期タイミングとして取得し、第１の積分期間を同期タイミングと同期させる初期同期部と、同期が取られた後、第２の積分期間を第１の積分期間と連続又は重複させると共に第１の積分回路により得られた第１の積分値と第２の積分回路により得られた第２の積分値とに基づいて、第１の積分期間のタイミングをパルスタイミングと同期させるように調整する同期維持部とを備えている。
【先行技術文献】
【特許文献】
【０００６】
【特許文献１】特開平４−１７０８０７号公報
【特許文献２】特開２００４−３２００８３号公報
【特許文献３】特開２００５−２５２７４０号公報
【特許文献４】特開２００７−６０５０７号公報
【非特許文献】
【０００７】
【非特許文献１】Ａ  ＣＭＯＳ  ＩＭＰＵＬＳＥ  ＲＡＤＩＯ  ＵＬＴＲＡ−ＷＩＤＥＢＡＮＤ  ＴＲＡＮＣＥＩＶＥＲ  ＦＯＲ  １Ｍｂ／ｓ  ＤＡＴＡ  ＣＯＭＭＵＮＩＣＡＴＩＯＮ  ＡＮＤ  ±２．５ｃｍ ＲＡＮＧＥ  ＦＩＮＤＩＮＧＳ  Ｔ．Ｔｅｒａｄａ  ｅｔ．ａｌ、  ２００５  Ｓｙｍｐｏｓｉｕｍ  ｏｎ  ＶＬＳＩ  Ｃｉｒｃｕｉｔｓ  Ｄｉｇｅｓｔ  ｏｆ  Ｔｅｃｈｎｉｃａｌ  Ｐａｐｅｒｓ、ｐｐ．３０−３３
【発明の概要】
【発明が解決しようとする課題】
【０００８】
しかしながら、上記非特許文献１のように、送受信回路において信号がない期間に電源の供給を遮断し、信号がある期間に電源を供給する動作をさせるにあたって、例えば、上記特許文献４のように、積分回路の積分期間のタイミングと信号の受信タイミングとの同期をとる必要がある。つまり、信号の受信タイミングが解れば、受信期間は電源を供給しそれ以外の期間は遮断することができる。この同期をとる期間は電源の供給を遮断しないため、この期間において回路の消費電力は低減されない。
そこで、本発明は、このような従来の技術の有する未解決の課題に着目してなされたものであって、無線信号を受信して復調する無線受信装置の消費電力を低減するのに好適な動作制御装置、無線受信装置及び動作制御方法を提供するため、以下の形態または適用例として実現することが可能である。
【課題を解決するための手段】
【０００９】
［形態１］形態１に記載の動作制御装置は、一定周期で断続的に受信される情報信号を有する無線信号に対して、前記情報信号の検出に係る所定の信号処理を行う被制御装置の動作を制御する動作制御装置であって、
前記無線信号から検波された検波信号に基づき前記情報信号の内容を判定する判定装置の出力する、前記情報信号が有るときの判定信号を検出する判定信号検出手段と、
前記無線信号の受信を開始した初期状態における前記判定信号を検出する期間である第１の検波期間において前記被制御装置を動作させる信号である第１の検波窓信号を発生する第１の検波窓信号発生手段と、
前記第１の検波期間において前記判定信号検出手段で検出される、Ｎ（Ｎは１以上の整数）個の前記判定信号の検出タイミングに基づく仮の検波周期で、第２の検波期間だけ前記被制御装置を動作させる信号である第２の検波窓信号を発生する第２の検波窓信号発生手段と、
前記判定信号の検出タイミングが前記第２の検波期間の端になった事を検出する為の監視クロックを生成する監視クロック生成手段と、
前記監視クロックと前記判定信号の検出タイミングに基づき、前記第２の検波窓信号発生手段の発生する第２の検波窓信号のタイミングを変更する検波窓調整信号を発生する第２の検波窓調整手段と、
前記被制御装置に供給する信号を、前記第１の検波窓信号から前記第２の検波窓信号に切り替える第１の供給信号切替手段と、
前記判定装置の出力する判定信号と同期する同期信号を生成する同期信号生成手段と、
前記同期信号生成手段で生成した同期信号の周期で、前記第２の検波期間以下となる第３の検波期間だけ前記被制御装置を動作させる信号である第３の検波窓信号を発生する第３の検波窓信号発生手段と、
前記被制御装置に供給する信号を、前記第２の検波窓信号から前記第３の検波窓信号に切り替える第２の供給信号切替手段と、を備える。
【００１０】
このような構成であれば、第１の検波期間において、第１の検波窓信号発生手段で第１の検波窓信号が発生され、この信号が被制御装置に供給されて該被制御装置が動作する。
具体的に、例えば被制御装置の動作をオン・オフするスイッチ（トランジスターなど）を、第１の検波期間だけオンにする。例えば、第１の検波窓信号は、第１の検波期間だけハイレベルとなる信号、又は第１の検波期間だけローレベルとなる信号となる。
【００１１】
そして、第１の検波期間において、判定信号検出手段でＮ個の判定信号が検出されると、第２の検波窓信号発生手段において、Ｎ個の判定信号の検出タイミングに基づく仮の検波周期で、第２の検波期間だけ被制御装置を動作させる第２の検波窓信号が発生される。
この第２の検波窓信号の発生（又は発生処理）に応じて、第１の供給信号切替手段によって被制御装置に供給される信号が第１の検波窓信号から第２の検波窓信号に切り替えられる。
これにより、被制御装置に第２の検波窓信号が供給され、被制御装置は、周期的に第２の検波期間において動作しそれ以外の期間において停止する。
具体的に、例えば被制御装置の動作をオン・オフするスイッチを、周期的に第２の検波期間だけオンにしそれ以外の期間はオフにする。そのため、第２の検波窓信号は、例えば、周期的に第２の検波期間だけハイレベルとなりその他の期間はローレベルとなる信号、又は周期的に第２の検波期間だけローレベルとなりその他の期間はハイレベルとなる信号となる。
【００１２】
一方、第２の検波期間において、同期信号生成手段において判定信号と同期する同期信号が生成される。
同期信号が生成されると、第３の検波窓信号発生手段において、生成された同期信号の周期で、第２の検波期間以下となる第３の検波期間において被制御装置を動作させる第３の検波窓信号が生成される。
そして、第３の検波窓信号の発生（又は発生処理）に応じて、第２の供給信号切替手段によって被制御装置に供給される信号が第２の検波窓信号から第３の検波窓信号に切り替えられる。
これにより、被制御装置は、判定信号の出力タイミングに合わせて第３の検波期間だけ動作し、それ以外の期間においては停止する。
具体的に、例えば被制御装置の動作をオン・オフするスイッチを、周期的に第３の検波期間だけオンにしそれ以外の期間はオフにする。そのため、第３の検波窓信号は、例えば、周期的に第３の検波期間だけハイレベルとなりその他の期間はローレベルとなる信号、又は周期的に第３の検波期間だけローレベルとなりその他の期間はハイレベルとなる信号となる。
【００１３】
以上より、判定信号の出力タイミング（情報信号の受信タイミング）との同期をとっている期間において、被制御装置を周期的に第２の検波期間だけ動作させることができるので、従来と比較して、同期をとっている期間における被制御装置の消費電力を低減することができるという効果が得られる。
【００１４】
［形態２］更に、形態２に記載の動作制御装置は、形態１に記載の動作制御装置において、前記第２の検波窓信号発生手段は、前記判定信号検出手段で１個の前記判定信号が検出されると、該検出された判定信号の検出タイミングと前記情報信号の受信周期情報とに基づき、該受信周期情報の示す受信周期に応じた仮の検波周期で前記第２の検波窓信号を発生する。
このような構成であれば、情報信号の受信周期が予め解っているので、初期状態において最初の判定信号を検出したときに、その検出タイミングから、検出時点をスタートとして、受信周期情報の示す受信周期に応じた仮の検波周期で、第２の検波期間だけ被制御装置を動作させる第２の検波窓信号を生成することができる。
【００１５】
ここで、上記受信周期情報は、測定などによって予め解っている情報であり、受信周期を示す、時間情報、クロック数の情報、カウンター値の情報などが該当する。
この情報は、メモリーに有しておいて都度用いるようにしてもよいし、この情報に基づく回路パラメーターを有する回路を構成してもよい。例えば、第２の検波窓信号の出力タイミングや、この出力タイミングを決定するカウンター回路のリセットタイミングなどが受信周期情報に基づき設定された回路を構成する。
【００１６】
［形態３］更に、形態３に記載の動作制御装置は、形態１に記載の動作制御装置において、前記第２の検波窓信号発生手段は、前記判定信号検出手段で２個以上の前記判定信号が検出されると、該検出された２個以上の判定信号の検出タイミングに基づき、前記判定信号の検波周期に応じた仮の検波周期で前記第２の検波窓信号を発生する。
このような構成であれば、初期状態から２個以上の判定信号を検出したときに、これらの検出タイミングから、各判定信号間の時間間隔が解るので、検出数が２個のときはこの時間間隔に応じた周期を、３個以上のときはこれらの平均時間に応じた周期などを仮の検波周期として設定することができる。これにより、実際の受信間隔に応じた仮の検波周期で、第２の検波期間だけ被制御装置を動作させる第２の検波窓信号を生成することができる。
【００１７】
［形態４］更に、形態４に記載の動作制御装置は、形態２又は３に記載の検波装置において、前記第２の検波窓信号発生手段は、発振回路とカウンター回路とを有し、前記判定信号検出手段における判定信号の検出を契機に、前記発振回路からの出力信号を前記カウンター回路でカウントし、前記カウンター回路のカウント値が前記仮の検波周期に対応するカウント値になるタイミングでカウント値をリセットし、前記カウンター回路のカウント値が前記仮の検波周期に対応するカウント値を初期値とする検波窓カウント値と一致するタイミングで前記第２の検波窓信号を出力し、前記検波窓カウント値は前記検波窓調整信号に基づき変更する。
このような構成であれば、判定信号の検出を契機に、仮の検波周期に応じたカウント数をカウンター回路でカウントし、仮の検波周期に応じたカウント数になる毎に、第２の検波窓信号を発生することによって、仮の検波周期で、第２の検波窓信号を発生することができる。
【００１８】
［形態５］更に、形態５に記載の動作制御装置は、形態１乃至４に記載の動作制御装置において、前記監視クロック生成手段は、前記第２の検波窓信号に基づいて前記被制御装置の動作を開始する時点から所定の時間遅れた時点で立ち上がり又は立ち下がりエッジとなる前記発振回路からの出力信号である第１の監視クロックと、前記第２の検波窓信号に基づいて前記被制御装置の動作を停止する時点から所定の時間早い時点で立ち上がりまたは立ち下がりエッジとなる前記発振回路からの出力信号である第２の監視クロックとを出力する。
このような構成であれば、第２の検波窓信号に対して内側に位置する監視クロックを生成する事によって、第２の検波期間の中で判定信号が検出されるタイミングが端になったことを検出する事ができる。
【００１９】
［形態６］更に、形態６に記載の動作制御装置は、形態１乃至５に記載の動作制御装置において、前記第２の検波窓調整手段は、前記判定信号検出手段からの出力信号である判定信号を、前記第１の監視クロック及び第２の監視クロックの立ち上がり又は立ち下りエッジによりラッチし、前記判定信号が前記第１の監視クロックでラッチされた場合には、前記被制御装置の動作を開始する時点を早める為の検波窓調整信号を前記第２の検波窓信号発生手段へ出力し、前記判定信号が前記第２の監視クロックでラッチされた場合には、前記被制御装置の動作を開始する時点を遅くする為の検波窓調整信号を前記第２の検波窓信号発生手段へ出力する。
このような構成であれば、第２の検波期間の中で判定信号が検出されるタイミングがどちらの端になったかを判定することができ、第２の検波窓信号を発生するタイミングを調整する為の検波窓調整信号を発生することができる。
【００２０】
［形態７］更に、形態７に記載の動作制御装置は、形態１乃至６のいずれか１に記載の動作制御装置において、前記同期信号生成手段は、フィードバック制御によって前記同期信号を生成するようになっており、
前記同期信号生成手段で生成された同期信号が安定した同期信号であるか否かを判定する同期信号判定手段を備え、
前記第２の供給信号切替手段は、前記同期信号判定手段で前記生成された同期信号が安定した同期信号であると判定されたときに、前記被制御装置に供給する信号を、前記第２の検波窓信号から前記第３の検波窓信号に切り替える。
このような構成であれば、同期信号生成手段がフィードバック制御によって同期信号を生成している間は、第２の検波窓信号によって被制御装置を制御することができる。
そして、同期信号生成手段で生成される同期信号が安定したときに、第２の供給信号切替手段によって、被制御装置に供給する信号を、第２の検波窓信号から第３の検波窓信号に切り替えることができる。
【００２１】
［形態８］更に、形態８に記載の動作制御装置は、形態７に記載の動作制御装置において、前記同期信号生成手段は、ＰＬＬ回路を有し、
前記同期信号判定手段は、前記ＰＬＬ回路を構成する所定の回路部の出力信号に基づき、前記同期信号生成手段で生成される同期信号が安定した同期信号であるか否かを判定する。
このような構成であれば、ＰＬＬ回路を構成する、例えば、ＬＰＦ回路や可変周波数発振器などの出力信号に基づき、同期信号が安定した同期信号であるか否かを判定することができる。
つまり、これらの出力信号が一定レベルで且つ一定周期で安定して出力されていれば、同期信号が安定しているといえる。
【００２２】
［形態９］更に、形態９に記載の動作制御装置は、形態８に記載の動作制御装置において、前記同期信号判定手段は、前記ＰＬＬ回路を構成するＬＦ（Ｌｏｏｐ  Ｆｉｌｔｅｒ）回路の出力信号をデジタル信号に変換するＡ／Ｄ変換部と、このデジタル信号を一定時間遅延させる遅延部と、該遅延部で遅延したデジタル信号と前記Ａ／Ｄ変換部から出力されるデジタル信号との差分信号を生成する差分信号生成部とを含み、前記差分信号の変化が一定範囲内に収まっているときに前記同期信号生成手段で生成された同期信号が安定した同期信号であると判定し、そうでないときに前記同期信号生成手段で生成された同期信号が安定した同期信号ではないと判定する。
【００２３】
このような構成であれば、ＬＦ回路からの出力信号（アナログ信号）をデジタル信号に変換し、このデジタル信号と、該デジタル信号を一定時間遅延させた信号との差分信号を生成することができる。
そして、この差分信号の変化が一定範囲内に収まっているときに同期信号生成手段で生成された同期信号が安定した同期信号であると判定し、そうでないときに同期信号生成手段で生成された同期信号が安定した同期信号ではないと判定することができる。
【００２４】
ここで、ＰＬＬ回路は、ＰＤ、ＣＰ又はトライステート、ＬＦ及びＶＣＯを含んで構成される。そして、判定装置から入力される判定信号の位相とＶＣＯの発振信号の位相とを比較して判定信号の位相を基準にＶＣＯの発振周波数を制御し、ＶＣＯの位相をロックするものである。なお、ＬＦとしては、１次または２次の次数の低いＬＰＦ（Ｌｏｗ−ｐａｓｓ  Ｆｉｌｔｅｒ）が用いられる。
【００２５】
［形態１０］更に、形態１０に記載の動作制御装置は、形態９に記載の動作制御装置において、前記第３の検波窓信号発生手段は、前記同期信号生成手段で生成した同期信号を前記第２の検波期間よりも短い所定の時間だけ遅延させ、該遅延させた同期信号と前記生成した同期信号との差分の信号を前記第３の検波窓信号として生成する。
このような構成であれば、同期信号と同期し且つ第２の検波期間よりも所定の時間だけ短い第３の検波期間だけ被制御装置を動作させる第３の検波窓信号を簡易に生成することができる。
【００２６】
［形態１１］更に、形態１１に記載の動作制御装置は、形態１乃至１０のいずれか１に記載の動作制御装置において、前記第１の検波窓信号発生手段は、前記Ｎ個の判定信号の検出に応じて、前記第１の検波信号の状態を前記被制御装置の動作を停止する状態に変更する。
このような構成であれば、初期状態において、必要な判定信号が検出されたらすぐに被制御装置の動作を停止させることができるので、同期をとる間の無駄な電力消費をより低減することができる。
【００２７】
［形態１２］一方、形態１２に記載の無線受信装置は、所定周波数帯域の電波を受信するアンテナと、
前記アンテナで受信した無線信号を増幅する増幅装置と、
前記増幅装置で増幅した無線信号を整流して検波信号を生成する検波装置と、
前記検波信号に基づき前記受信した無線信号中に情報信号が有るか否かを判定する判定装置と、
請求項１乃至請求項１１のいずれか１項に記載の動作制御装置と、を備え、
前記動作制御装置によって、前記判定装置以外の少なくとも前記増幅装置の動作を制御する。
このような構成であれば、形態１乃至１１のいずれか１に記載の動作制御装置と同等の作用及び効果を得ることができる。
【００２８】
［形態１３］また、形態１３に記載の動作制御方法は、一定周期で断続的に受信される情報信号を有する無線信号に対して、前記情報信号の検出に係る所定の信号処理を行う被制御装置の動作を制御する動作制御方法であって、
前記無線信号から検波された検波信号に基づき前記情報信号の内容を判定する判定装置の出力する、前記情報信号が有るときの判定信号を検出する判定信号検出ステップと、
前記無線信号の受信を開始した初期状態における前記判定信号を検出する期間である第１の検波期間において前記被制御装置を動作させる信号である第１の検波窓信号を発生する第１の検波窓信号発生ステップと、
前記第１の検波期間において前記判定信号検出ステップで検出される、Ｎ（Ｎは１以上の整数）個の前記判定信号の検出タイミングに基づく仮の検波周期で、第２の検波期間だけ前記被制御装置を動作させる信号である第２の検波窓信号を発生する第２の検波窓信号発生ステップと、
前記判定信号の検出タイミングが前記第２の検波期間の端になったことを検出する為の監視クロックを生成する監視クロック生成ステップと、
前記監視クロックと前記判定信号の検出タイミングとに基づき、前記第２の検波窓信号発生ステップにおいて発生する第２の検波窓信号のタイミングを変更する検波窓調整信号を発生する第２の検波窓調整ステップと、
前記被制御装置に供給する信号を、前記第１の検波窓信号から前記第２の検波窓信号に切り替える第１の供給信号切替ステップと、
前記判定装置の出力する判定信号と同期する同期信号を生成する同期信号生成ステップと、
前記同期信号生成ステップで生成した同期信号の周期で、前記第２の検波期間以下となる第３の検波期間において前記被制御装置を動作せる信号である第３の検波窓信号を発生する第３の検波窓信号発生ステップと、
前記被制御装置に供給する信号を、前記第２の検波窓信号から前記第３の検波窓信号に切り替える第２の供給信号切替ステップと、を含む。
これにより、形態１に記載の動作制御装置と同等の作用及び効果を得ることができる。
【図面の簡単な説明】
【００２９】
【図１】本発明に係る無線受信装置１の構成を示すブロック図である。
【図２】（ａ）は、無線受信装置１の各構成部に対して入出力される信号のタイミングチャートであり、（ｂ）は、第１の検波窓信号の出力制御例を示す図である。
【図３】動作制御部１０７の詳細な構成を示すブロック図である。
【図４】第２の検波窓信号発生部１０７ｃの詳細な構成を示すブロック図である。
【図５】第２の検波窓信号発生部の内部信号のタイミングチャートである。
【図６】（ａ）は、第２の検波窓信号のタイミングを早くする窓制御信号を発生するタイミングチャートであり、（ｂ）は、（ａ）の場合の制御例を示すタイミングチャートである。
【図７】（ａ）は、第２の検波窓信号のタイミングを遅くする窓制御信号を発生するタイミングチャートであり、（ｂ）は、（ａ）の場合の制御例を示すタイミングチャートである。
【図８】監視クロックの異なる一例を示すタイミングチャートである。
【図９】同期信号生成部１０７ｄ、第３の検波窓信号発生部１０７ｅ及び同期信号判定部１０７ｆの詳細な構成を示すブロック図である。
【図１０】（ａ）は、第３の検波窓信号の生成方法の一例を示す図であり、（ｂ）は、ＬＰＦ２２の出力信号の一例を示す図である。
【図１１】本変形例の無線受信装置１の各構成部に対して入出力される信号のタイミングチャートである。
【発明を実施するための形態】
【００３０】
［第１の実施の形態］
以下、本発明の実施の形態を図面に基づき説明する。図１〜図１１は、本発明に係る動作制御装置、無線受信装置及び動作制御方法の第１の実施の形態を示す図である。
【００３１】
まず、本発明に係る無線受信装置１の構成を図１〜図２に基づき説明する。図１は、本発明に係る無線受信装置１の構成を示すブロック図である。また、図２（ａ）は、無線受信装置１の各構成部に対して入出力される信号のタイミングチャートであり、（ｂ）は、第１の検波窓信号の出力制御例を示す図である。
無線受信装置１は、図１に示すように、アンテナ１０１と、ＬＮＡ（低雑音増幅器）１０２と、検波回路１０３と、ＬＰＦ（Ｌｏｗ−ｐａｓｓ  ｆｉｌｔｅｒ）１０４と、アンプ（増幅器）１０５と、判定部１０６と、動作制御部１０７と、ベースバンド処理部１０８とを含んで構成される。
アンテナ１０１は、対応帯域がＵＷＢの周波数帯域（例えば、１．５〜１０［ＧＨｚ］）の、ＩＲ（Ｉｍｐｕｌｓｅ  Ｒａｄｉｏ）方式で無線送信された、非常に短いインパルス状のパルス信号列を有する無線信号（図２（ａ）中のパルス）を受信する機能を有している。
【００３２】
ＬＮＡ１０２は、アンテナ１０１を介して入力されたパルス信号列（以下、単にパルスと称す）を増幅する機能を有した、雑音指数の比較的小さい増幅器である。
本実施の形態では、アンテナ１０１を介して入力されたパルスをそのままの位相で増幅した第１の交流信号と、この第１の交流信号に対して等振幅で且つ１８０［°］位相の異なる第２の交流信号とを含む平衡信号を出力するようになっている。
更に、ＬＮＡ１０２は、動作制御部１０７からの検波窓信号（ＯＮ−ＯＦＦ制御信号（図２（ａ）中の第１及び第２の検波窓信号など））に基づき当該増幅器の動作状態と停止状態とを切り替える節電機能を有している。
【００３３】
検波回路１０３は、ＬＮＡ１０２から入力された第１及び第２の交流信号を正極側で全波整流してなる全波整流信号を生成する機能を有している。
ＬＰＦ１０４は、検波回路１０３から入力された全波整流信号の信号成分のうち所定周波数以下の信号成分を通過させる（高周波成分（ノイズ成分）を除去する）特性を有するロー・パス・フィルターである。
【００３４】
アンプ１０５は、ＬＰＦ１０４を通過した全波整流信号を判定部１０６の判定処理に必要なレベルに増幅してなる検波信号を生成する機能を有した増幅器である。なお、図２（ａ）中の検波信号は、ＬＰＦ１０４及びアンプ１０５を通過後の全波整流信号である。
判定部１０６は、アンプ１０５から入力された検波信号のレベルと予め設定されたリファレンスレベルとに基づき、パルスの内容を判定する機能を有している。
具体的に、パルスのレベルがリファレンスレベル以上のときに、内容が「１」であることを示す判定信号（ハイレベルの信号）を出力し、リファレンスレベル未満のときに、内容が「０」であることを示す判定信号（ローレベルの信号）を出力する。
【００３５】
動作制御部１０７は、ＬＮＡ１０２を動作させる期間及び周期がそれぞれ異なる第１〜第３の検波窓信号を生成し、これをＬＮＡ１０２に供給して、ＬＮＡ１０２の動作状態及び停止状態をＯＮ−ＯＦＦ制御する機能を有している。
ベースバンド処理部１０８は、判定部１０６の判定信号に基づき、受信したパルスの示す情報（「０」、「１」）を判断してデータ化し、これを復調データとして出力する機能を有している。
【００３６】
次に、図３に基づき、動作制御部１０７の詳細な構成を説明する。
ここで、図３は、動作制御部１０７の詳細な構成を示すブロック図である。
動作制御部１０７は、図３に示すように、第１の検波窓信号発生部１０７ａと、判定信号検出部１０７ｂと、第２の検波窓信号発生部１０７ｃと、同期信号生成部１０７ｄと、第３の検波窓信号発生部１０７ｅと、同期信号判定部１０７ｆと、セレクター１０７ｇとを含んで構成される。
【００３７】
第１の検波窓信号発生部１０７ａは、無線受信装置１の有するＣＰＵ（不図示）から、電源投入時の初期状態において出力される第１のスタート信号に応じて、第１の検波窓信号を生成する機能を有している。
更に、第１の検波窓信号発生部１０７ａは、生成した第１の検波窓信号とセレクター１０７ｇを制御する第１のセレクター制御信号とをセレクター１０７ｇに出力する機能を有している。
ここで、第１の検波窓信号は、図２（ａ）に示すように、判定信号検出部１０７ｂがパルスを受信したときの判定信号を検出する期間である第１の検波期間だけハイレベルとなる信号である。
【００３８】
更に、第１の検波窓信号発生部１０７ａは、判定信号検出部１０７ｂからの第２のスタート信号の入力に応じて、第１の検波窓信号のレベルをハイレベルからローレベルに変更する機能を有している。
具体的に、本実施の形態においては、目的の判定信号が見つかったら、図２（ｂ）に示すように、直ちにＬＮＡ１０２の動作を停止状態に切り替えて第２の検波窓信号が生成されるまでの期間も節電する。
【００３９】
判定信号検出部１０７ｂは、判定部１０６から出力される判定信号のうちハイレベルとなる判定信号を検出する機能を有している。
具体的に、判定部１０６は、パルスを受信していないときと、パルスの検波信号がリファレンスレベル未満のときにローレベルの信号を出力する。そのため、無線受信装置１が初期状態（同期がとれていない状態）においては、パルスを受信していないときと、パルスの検波信号がリファレンスレベル未満のときとを区別できないので、パルスが受信されていることが確実に解るハイレベルの判定信号を検出するようにしている。
【００４０】
なお、リファレンスレベルを、「０」、「１」の判定用と、パルス受信判定用との２種類を用意して、リファレンスレベル以上のときと、リファレンスレベル未満のときと、受信なしのときとで異なる判定信号を出力する構成としてもよい。また、パルスの受信の有無を示す信号を別途出力するようにしてもよい。
【００４１】
更に、判定信号検出部１０７ｂは、第１の検波期間において、Ｎ個（Ｎは、１以上の整数）の判定信号を検出したときに、第２のスタート信号を生成して、これを第１の検波窓信号発生部１０７ａ及び第２の検波窓信号発生部１０７ｃに出力する機能を有している。
第２の検波窓信号発生部１０７ｃは、判定信号検出部１０７ｂからの第２のスタート信号の入力に応じて、予め設定された期間毎に、第２の検波期間だけＬＮＡ１０２を動作状態に切り替える第２の検波窓信号を生成する機能を有している。
【００４２】
更に、第２の検波窓信号発生部１０７ｃは、生成した第２の検波窓信号とセレクター１０７ｇを制御する第２のセレクター制御信号とをセレクター１０７ｇに出力する機能を有している。
ここで、第２の検波窓信号は、図２（ａ）に示すように、判定信号検出部１０７ｂがハイレベルの判定信号を検出後に、次にパルス有りのときの判定信号が出力されるタイミングに対して少し余裕を持った期間（第２の検波期間）だけハイレベルとなる信号である。
【００４３】
同期信号生成部１０７ｄは、判定部１０６から出力される判定信号と同期する同期信号を生成する機能を有している。
第３の検波窓信号発生部１０７ｅは、同期信号生成部１０７ｄで生成された同期信号の周期で、ＬＮＡ１０２を第２の検波期間以下となる第３の検波期間だけ動作状態に切り替える第３の検波窓信号を生成する機能を有している。
【００４４】
更に、第３の検波窓信号発生部１０７ｅは、生成した第３の検波窓信号をセレクター１０７ｇに出力する機能を有している。
同期信号判定部１０７ｆは、同期信号生成部１０７ｄの内部回路の１つであるＬＰＦ（後述）からの出力信号に基づき、同期信号生成部１０７ｄで生成された同期信号が安定した同期信号であるか否かを判定する機能を有している。
【００４５】
更に、同期信号判定部１０７ｆは、セレクター１０７ｇを制御する第３のセレクター制御信号をセレクター１０７ｇに出力する機能を有している。
セレクター１０７ｇは、第１の検波窓信号発生部１０７ａからハイレベルの第１のセレクター制御信号が入力されたときに、第１の検波窓信号をＬＮＡ１０２に供給し、第２の検波窓信号発生部１０７ｃからハイレベルの第２のセレクター制御信号が入力されたときに、第２の検波窓信号をＬＮＡ１０２に供給し、同期信号判定部１０７ｆからハイレベルの第３のセレクター制御信号が入力されたときに、第３の検波窓信号をＬＮＡ１０２に供給する機能を有している。
【００４６】
次に、図４に基づき、第２の検波窓信号発生部１０７ｃの詳細な構成を説明する。
ここで、図４は、第２の検波窓信号発生部１０７ｃの詳細な構成を示すブロック図である。
第２の検波窓信号発生部１０７ｃは、図４に示すように、ＮＡＮＤ回路１０と、ＮＯＴ回路１１〜１２と、カウンター回路１３と、窓信号生成回路１４と、監視クロック生成回路１５と、Ｄフリップフロップ１６〜１７と、第２検波窓制御信号発生回路１８とを含んで構成される。
【００４７】
ＮＡＮＤ回路１０と、ＮＯＴ回路１１〜１２とはリング発振器を構成している。
具体的に、ＮＡＮＤ回路１０の出力端子はＮＯＴ回路１１の入力端子と電気的に接続され、ＮＯＴ回路１１の出力端子はＮＯＴ回路１２の入力端子に接続され、ＮＯＴ回路１２の出力端子は、ＮＡＮＤ回路１０の２つある入力端子の一方とカウンター回路１３の入力端子とにそれぞれ電気的に接続されている。
上記構成により、不図示の電源から駆動電力が供給され、ＮＡＮＤ回路１０の２つの入力端子の他方にハイレベルの第２のスタート信号が入力されると発振が開始される。
【００４８】
ＮＡＮＤ回路１０の出力信号はＮＯＴ回路１１の入力端子に入力されて反転出力され、ＮＯＴ回路１１の出力信号はＮＯＴ回路１２の入力端子に入力されて反転出力される。
更に、ＮＯＴ回路１２の出力信号は、ＮＡＮＤ回路１０の入力端子の一方と、カウンター回路１３の入力端子とにそれぞれ入力される。
これにより、第２のスタート信号がハイレベルの間は、ＮＯＴ回路１２の出力がハイレベルとローレベルとに交互に切り替わり発振が生じる。
【００４９】
一方、第２のスタート信号がローレベルの間は、ＮＡＮＤ回路１０の出力信号が一定のレベルとなるため、ＮＯＴ回路１２の出力も一定となり発振が生じない。
従って、カウンター回路１３は、第２のスタート信号がハイレベルの間に、リング発振器から出力される発振信号の立ち上がり（または立ち下がり）エッジをカウントし、該カウント値を窓信号生成回路１４に出力する。また、カウンター回路１３は予め解っているパルスの受信周期（受信間隔）に応じたカウント値毎に自動的にリセットされる。
【００５０】
窓信号生成回路１４は、カウンター回路１３のカウント値に基づき、第２の検波窓信号を生成する。具体的に、窓信号生成回路１４はカウンター回路１３のカウント値が後述する検波窓カウント値と一致した場合には、発振信号の立ち上がりまたは立ち下がりエッジに同期して１クロック区間ハイレベルとなる信号を生成し、一定の時間遅延させ、第２の検波窓信号を生成する。
【００５１】
検波窓カウント値は、初期値として予め解っているパルスの受信周期（受信間隔）に応じたカウント値を持ち、後述する第２検波窓制御信号により変更される。窓信号生成回路１４は、第２検波窓制御信号が第２検波窓制御信号を出力するタイミングを早くする為の制御信号であった場合には、検波窓カウント値を一つ低く設定し、第２の検波窓信号を生成する為の発振信号のエッジを現在と逆に設定する。一方、窓信号生成回路１４は、第２検波窓制御信号が第２の検波窓信号を出力するタイミングを遅くする為の制御信号であった場合には、検波窓カウント値を一つ高く設定し、第２の検波窓信号を生成する為の発振信号のエッジを現在と逆に設定する。
【００５２】
窓信号生成回路１４は、この生成した第２の検波窓信号と該信号をＬＮＡ１０２に出力させるための第２のセレクター制御信号とをセレクター１０７ｇに出力する。
具体的に、ハイレベルの信号を第２のセレクター制御信号として出力する。
【００５３】
監視クロック生成回路１５は、リング発振器から出力される発振信号と窓信号生成回路１４から出力される第２の検波窓信号から、第２の検波窓信号がハイレベルになった一定時間後に立ち上がりエッジとなる第１の監視クロックと第２の検波窓信号がローレベルになる一定時間前に立ち上がりエッジとなる第２の監視クロックを生成する。
Ｄフリップフロップ１６、１７は、判定部出力を第１の監視クロック、第２の監視クロックの立ち上がりエッジでそれぞれラッチする。
【００５４】
第２検波窓制御信号発生回路１８は、Ｄフリップフロップ１６、１７の出力信号から検波窓制御信号を生成する。Ｄフリップフロップ１６の出力信号がハイレベルであった場合、判定部出力が第１の監視クロックの立ち上がりエッジと同じタイミングであり、判定部出力が第２の検波窓信号がハイレベルになる直後に来ていると判断する事ができる。この時、第２検波窓制御信号発生回路１８は窓制御信号として、検波窓信号がハイレベルになるタイミングを早くする為の制御信号を出力する。一方、Ｄフリップフロップ１７の出力信号がハイレベルであった場合、判定部出力が第２の監視クロックの立ち上がりエッジと同じタイミングであり、判定部出力が第２の検波窓信号がローレベルになる直前に来ていると判断する事ができる。この時、第２検波窓制御信号発生回路１８は窓制御信号として、検波窓信号がハイレベルになるタイミングを遅くする為の第２検波窓制御信号を出力する。
【００５５】
ここで、本実施の形態では、第２のスタート信号によって初期状態から最初に受信するパルスの受信タイミング（実際は判定信号の出力タイミング）が解る。そこで、第２のスタート信号がハイレベルになるタイミングをカウンター回路１３のカウント開始タイミングとし、予め解っているパルスの受信周期（受信間隔）に応じたカウント値となるタイミングに基づき第２の検波窓信号を発生させる。
具体的に、本実施の形態では、図２（ａ）に示すように、カウント値「９」が受信間隔に対応するカウント値となるので、カウント値が「９」の期間ハイレベルとなり（ＬＮＡ１０２を動作状態に切り替え）、リセット後の「９」の次のカウント値「０」の期間でローレベルとなる（ＬＮＡ１０２を停止状態に切り替える）信号を第２の検波窓信号として出力する。従って、窓信号生成回路１４は、カウント値が「９」となる毎にリセット信号をカウンター回路１３に出力し、カウント値を「０」にリセットする。
これにより、パルスが受信される時間幅よりも前後に広い時間幅でハイレベルとなる第２の検波窓信号が、カウンター回路１３のカウント値が「８」〜「０」となる毎に出力される。
【００５６】
次に、図５〜図７に基づき、第２の検波窓信号発生部１０７ｃにおける第２の検波窓信号の制御方法について説明する。
図５は、初期状態におけるカウンター回路１３のカウンターの値、第２の検波窓信号、判定部出力、第１の監視クロック、第２の監視クロックのタイミングチャートである。第２の検波窓信号はカウント値が「９」となった時点から一定の時間遅延してハイレベルとなりカウント値が「０」となった時点から一定の時間遅延してローレベルとなる。判定部出力は第２の検波窓信号がハイレベルとなる期間の中心部に位置し、第１の監視クロック、第２の監視クロックともに判定部出力がハイレベルとなるタイミングに立ち上がりエッジとならない為、第２検波窓制御信号発生回路１８は、第２の検波窓信号のタイミングを調整する第２検波窓制御信号を発生しない。
【００５７】
図６（ａ）は、受信パルスと第２の検波窓信号のタイミングがずれた場合のカウンター回路１３のカウンターの値、第２の検波窓信号、判定部出力、第１の監視クロック、第２の監視クロック、窓制御信号のタイミングチャートである。第２の検波窓信号はカウント値が「９」となった時点から一定の時間遅延してハイレベルとなりカウント値が「０」となった時点から一定の時間遅延してローレベルとなる。判定部出力は第２の検波窓信号がハイレベルとなった直後に位置し、第１の監視クロックは判定部出力がハイレベルとなっているタイミングに立ち上がりエッジとなっている。この場合、第２検波窓制御信号発生回路１８は、第２の検波窓信号のタイミングを早くする為の制御信号を発生する。図６（ｂ）は、第２の検波窓信号のタイミングを早くする為の制御信号により第２の検波窓信号のタイミングが早くなった場合のカウンター回路１３のカウンターの値、第２の検波窓信号、判定部出力、第１の監視クロック、第２の監視クロックのタイミングチャートである。第２の検波窓信号はカウント値が「８」となり発振回路が立ち下がりエッジになった時点から一定の時間遅延してハイレベルとなりカウント値が「９」となり発振回路が立ち下がりエッジになった時点から一定の時間遅延してローレベルとなるように変更されている。この制御により判定部出力を、第２の検波窓信号のエッジ付近から中央付近へと移動することができる。
【００５８】
同様に図７（ａ）は、 受信パルスと第２の検波窓信号のタイミングがずれた場合のカウンター回路１３のカウンターの値、第２の検波窓信号、判定部出力、第１の監視クロック、第２の監視クロック、窓制御信号のタイミングチャートである。第２の検波窓信号はカウント値が「９」となった時点から一定の時間遅延してハイレベルとなりカウント値が「０」となった時点から一定の時間遅延してローレベルとなる。判定部出力は第２の検波窓信号がローレベルとなる直前に位置し、第２の監視クロックは判定部出力がハイレベルとなっているタイミングに立ち上がりエッジとなっている。この場合、第２検波窓制御信号発生回路１８は、第２の検波窓信号のタイミングを遅くする為の制御信号を発生する。図７（ｂ）は、第２の検波窓信号のタイミングを遅くする為の制御信号により第２の検波窓信号のタイミングが遅くなった場合のカウンター回路１３のカウンターの値、第２の検波窓信号、判定部出力、第１の監視クロック、第２の監視クロックのタイミングチャートである。第２の検波窓信号はカウント値が「９」となり発振回路が立ち下がりエッジになった時点から一定の時間遅延してハイレベルとなりカウント値がリセットされ「０」となり発振回路が立ち下がりエッジになった時点から一定の時間遅延してローレベルとなるように変更されている。この制御により判定部出力を、第２の検波窓信号のエッジ付近から中央付近へと移動することができる。
【００５９】
なお、上記説明では監視クロックとして第１の監視クロックおよび第２の監視クロックの２つのクロックで判定部をラッチする構成で説明を行なったが、監視クロックとして図８に示すように異なるタイミングで複数のクロックを用いる事も可能である。この場合、監視クロックの数に応じてＤフリップフロップを設け、出力を第２検波窓制御信号発生回路１８に入力する事で、同様に第２の検波窓信号のタイミングを制御する事ができる。
【００６０】
次に、図９に基づき、同期信号生成部１０７ｄ、第３の検波窓信号発生部１０７ｅ及び同期信号判定部１０７ｆの詳細な構成を説明する。
ここで、図９は、同期信号生成部１０７ｄ、第３の検波窓信号発生部１０７ｅ及び同期信号判定部１０７ｆの詳細な構成を示すブロック図である。
【００６１】
同期信号生成部１０７ｄは、図９に示すように、ＰＤ（Ｐｈａｓｅ  Ｄｅｔｅｃｔｏｒ：位相比較器）２０と、ＣＰ（Ｃｈａｒｇｅ−ｐｕｍｐ：チャージポンプ）２１と、ＬＰＦ２２と、ＶＣＯ（ｖｏｌｔａｇｅ  ｃｏｎｔｒｏｌｌｅｄ  ｏｓｃｉｌｌａｔｏｒ：電圧制御発振器）２３とから構成される第１のＰＬＬ回路を含んで構成される。
ＰＤ２０は、判定部１０６から入力される判定信号の位相とＶＣＯ２３の発振信号の位相との位相差に比例し且つ正負の出力を有した信号（以下、位相差出力信号と称す）を生成し、これをＣＰ２１に出力する機能を有している。
【００６２】
具体的に、ＰＤ２０は、２つのＪＫフリップフロップを備え、判定信号とＶＣＯ２３の発振信号とのどちらの立上りが先に入力されたかで正方向と負方向の２種類の出力を持った位相差出力信号を生成する。これにより、「−３６０°」から「＋３６０°」までの位相差を検出することができる。
この場合、判定信号の周波数の方が発振信号よりも高ければ正（＋）ばかり、判定信号の周波数の方が発振信号よりも低ければ負（−）ばかりが出力されるので、周波数の符号も検出できる。このような構成のＰＤは、ＰＦＤ（Ｆｒｅｑｕｅｎｃｙ  Ｐｈａｓｅ  Ｄｅｔｅｃｔｏｒ）とも呼ばれる。
他にも、ＰＤ２０として、「０〜１８０°」までの位相差を検出できるＥＸＯＲ型位相比較器や、「０〜３６０°」までの位相差を検出できるＪＫ−ＦＦ型位相比較器なども適用可能である。これらを適用した場合は、ＣＰ２１が不要となる。
【００６３】
ＣＰ２１は、ＰＤ２０から入力された位相差出力信号に応じて正及び負に変化する信号をＬＰＦ２２に出力する機能を有している。
具体的に、ＣＰ２１は、Ｎチャンネル型のＭＯＳトランジスター（以下、ＮＴｒと称す）とＰチャンネル型のＭＯＳトランジスター（以下、ＰＴｒと称す）とを含み、ＰＴｒのドレインを高電位側の電源ノードに接続し、ＮＴｒのソースを低電位側の電源ノードに接続し、ＰＴｒのソースとＮＴｒのドレインとを接続した構成を有している。そして、この接続部から出力を取り出すようになっている。
【００６４】
ＬＰＦ２２は、ＣＰ２１からの信号をＶＣＯ２３の制御電圧に変換してＶＣＯ２３に出力する機能を有していると共に、この制御電圧を同期信号判定部１０７ｆにも出力する機能を有している。
具体的に、ＣＰ２１から出力されたＰＷＭの方形波を直流に近い形の信号に変換して、ＶＣＯ２３及び同期信号判定部１０７ｆに出力する。従って、デューティー比が大きいほど制御電圧は高くなる。
ＶＣＯ２３は、ＬＰＦ２２から入力される制御電圧に応じた周波数で発振し、この発振信号を同期信号として第３の検波窓信号発生部１０７ｅとＰＤ２０とに出力する機能を有している。
【００６５】
以上の構成によって、フィードバック制御により、判定信号の位相とＶＣＯ２３の発振信号の位相とが一致するようにＶＣＯ２３の制御電圧が制御され、最終的に両者の位相が一致した状態でＶＣＯ２３の位相がロックされた同期信号がＶＣＯ２３から出力される。
このように、フィードバック制御を行うため、両者の位相が一致して同期信号が安定するまでには、ある程度の時間が必要となる。そのため、本発明では、同期信号判定部１０７ｆにおいて、同期信号が安定しているか否かを判定し、セレクター１０７ｇに、同期信号が安定した状態となったときに生成される第３の検波窓信号をＬＮＡ１０２に供給させるようになっている。
【００６６】
次に、第３の検波窓信号発生部１０７ｅは、図９に示すように、遅延回路３０と、窓信号生成回路３１とを含んで構成される。
遅延回路３０は、ＶＣＯ２３からの同期信号を予め設定された一定時間だけ遅延させて、窓信号生成回路３１に出力する機能を有している。
窓信号生成回路３１は、ＶＣＯ２３から入力される同期信号と、遅延回路３０から入力される一定時間だけ遅延された同期信号（以下、遅延同期信号と称す）とに基づき、第３の検波窓信号を生成し、この生成した第３の検波窓信号をセレクター１０７ｇに出力する機能を有している。
【００６７】
以下、図１０（ａ）に基づき、第３の検波窓信号の生成方法の一例を説明する。
ここで、図１０（ａ）は、第３の検波窓信号の生成方法の一例を示す図であり、図１０（ｂ）は、ＬＰＦ２２の出力信号の一例を示す図である。
窓信号生成回路３１は、図１０（ａ）に示すように、ＶＣＯ２３の出力信号である同期信号と、この同期信号を一定時間遅延させた遅延同期信号との差分をとった信号を第３の検波窓信号として生成する。なお、遅延回路３０の遅延量は、第３の検波窓信号のハイレベルの期間が、第２の検波期間よりも短く且つパルスの時間幅以上となる量に設定する。
以上の構成により、ＶＣＯ２３から出力される同期信号が安定しているときに、判定信号の出力タイミングに同期し且つパルスを受信するのに必要な期間だけＬＮＡ１０２を動作させる第３の検波窓信号が生成される。
【００６８】
次に、同期信号判定部１０７ｆは、図９に示すように、ＡＤＣ（Analog to Digital Converter：ＡＤ変換器）４０と、遅延回路４１と、減算回路４２と、同期判定部４３とを含んで構成される。
ＡＤＣ４０は、ＬＰＦ２２からのアナログの出力信号をデジタルの信号に変換し、このデジタル信号を遅延回路４１及び減算回路４２に出力する機能を有している。
遅延回路４１は、ＡＤＣ４０からのデジタル信号を予め設定された一定時間（ΔＴ）だけ遅延させて、減算回路４２に出力する機能を有している。
【００６９】
減算回路４２は、ＡＤＣ４０から入力されたデジタル信号から、このデジタル信号を一定時間だけ遅延させた遅延信号を減算し、該減算結果の信号（以下、差分信号と称す）を同期判定部４３に出力する機能を有している。
同期判定部４３は、連続して入力される２つの差分信号のレベル差と、予め設定されたリファレンスレベルとを比較し、レベル差がリファレンスレベル以下となったときに、ＶＣＯ２３から出力される同期信号が安定したと判定する。一方、レベル差がリファレンスレベルよりも大きいときは、同期信号が不安定であると判定する。
【００７０】
具体的に、ＬＰＦ２２の出力信号は、図１０（ｂ）に示すように、判定信号と同期信号との位相差が大きいほど低いレベルとなり、位相差が小さくなるほど高いレベルとなる。そして、両者の位相差が「０」又は略「０」になると、一定のレベルに収束する。つまり、ＶＣＯ２３の位相がロックされた状態となる。
従って、図１０（ｂ）の傾斜部分に示すように、両者の位相差が大きいときは、ＡＤＣ４０の出力信号と、これをΔＴだけ遅延させた信号との差分のレベルは大きくなり、差分信号のレベルはリファレンスレベルを超える。
【００７１】
一方、図１０（ｂ）の平坦部分に示すように、両者の位相差が「０」のときは、ＡＤＣ４０の出力信号と、これをΔＴだけ遅延させた信号との差分のレベルは小さくなり（「０」又は略「０」になり）、差分信号のレベルはリファレンスレベル以下となる。
そして、同期判定部４３は、安定していると判定したときは、そのことを示す信号（ハイレベルの第３のセレクター制御信号）をセレクター１０７ｇに出力し、不安定であると判定したときは、そのことを示す信号（ローレベルの第３のセレクター制御信号）をセレクター１０７ｇに出力する。
【００７２】
次に、本実施の形態の無線受信装置１の実際の動作を説明する。
無線受信装置１は、電源が投入されると、まず、内部ＣＰＵにおいて第１のスタート信号を生成し、これを第１の検波窓信号発生部１０７ａに出力する。
一方、ＵＷＢの周波数帯域の無線信号（パルス）は、不図示のＵＷＢ信号送信回路のアンテナから一定周期で間歇的に発信される。
第１の検波窓信号発生部１０７ａは、第１のスタート信号が入力されると、ＬＮＡ１０２を動作状態に切り替えるハイレベルの第１の検波窓信号を生成し、この生成した第１の検波窓信号とハイレベルの第１のセレクター制御信とをセレクター１０７ｇに出力する。
セレクター１０７ｇは、第１の検波窓信号及び第１のセレクター制御信号が入力されると、第１のセレクター制御信号に応じて、入力された第１の検波窓信号をＬＮＡ１０２に出力する。
【００７３】
これにより、第１の検波窓信号が供給されている間は、ＬＮＡ１０２が動作状態となる。
本実施の形態において、ＬＮＡ１０２は、差動増幅器と、これを構成する差動対への電流供給のＯＮ−ＯＦＦを検波窓信号に基づき制御するスイッチング素子（トランジスター）とを含んで構成される。このスイッチング素子がＯＮのときは、差動対に電流が供給されＬＮＡ１０２は動作状態となり、一方、スイッチング素子がＯＦＦのときは、差動対への電流の供給が遮断されＬＮＡ１０２は停止状態となる。
従って、ＬＮＡ１０２は、動作状態において、アンテナ１０１によって受信した無線信号（パルス）を差動増幅して、パルスを同相で増幅した第１の交流信号と、第１の交流信号と等振幅で且つ位相を１８０［°］ずらした第２の交流信号とを含む平衡信号を生成し、この平衡信号を検波回路１０３に出力する。
【００７４】
検波回路１０３は、第１の交流信号ｃと第２の交流信号ｄとをそれぞれ正極側で半波整流すると共に、これら半波整流信号を合成して全波整流信号を生成し、この全波整流信号をＬＰＦ１０４に出力する。
ＬＰＦ１０４は、全波整流信号からノイズ成分を除去し、このノイズ成分の除去された信号をアンプ１０５に出力する。
アンプ１０５は、ノイズ成分の除去された信号を、判定部１０６の判定処理に必要なレベルまで増幅し、この増幅した信号を検波信号として判定部１０６に出力する。
【００７５】
判定部１０６は、アンプ１０５から入力された検波信号と、リファレンスレベルとを比較し、検波信号がリファレンスレベル以上のときは、パルスに含まれる情報が「１」と判断してハイレベルの判定信号を、動作制御部１０７及びベースバンド処理部１０８に出力する。一方、リファレンスレベル未満のときは、パルスに含まれる情報が「０」と判断してローレベルの判定信号を、動作制御部１０７及びベースバンド処理部１０８に出力する。
一方、動作制御部１０７は、第１の検波窓信号によってＬＮＡ１０２が動作状態となっている第１の検波期間において、判定信号検出部１０７ｂによって、判定部１０６からハイレベルとなる判定信号が出力されるのを検出する。
そして、ハイレベルの判定信号が検出されると、第２のスタート信号を第１の検波窓信号発生部１０７ａ及び第２の検波窓信号発生部１０７ｃに出力する。
【００７６】
第１の検波窓信号発生部１０７ａは、第２のスタート信号が入力されると、ハイレベルの第１の検波窓信号をローレベルに変更する。これにより、ＬＮＡ１０２には、ローレベルの信号が入力され、ＬＮＡ１０２の電流の供給を制御するスイッチング素子がＯＦＦとなって、差動対への電流の供給が遮断されＬＮＡ１０２は停止状態となる。
第２の検波窓信号発生部１０７ｃは、第２のスタート信号が入力されると、ＮＡＮＤ回路１０、ＮＯＴ回路１１〜１２を含んで構成されるリング発振器が発振を開始し、カウンター回路１３がカウントを開始する。そして、このカウント値が「８」〜「０」の間において、パルスの時間幅よりも広く且つハイレベルとなる第２の検波窓信号を生成する。また、パルスと第２の検波窓信号のタイミングに基づいて第２の検波窓信号をハイレベルとするカウント値を変更しながら、第２の検波窓信号を生成する。この生成した第２の検波窓信号とハイレベルの第２のセレクター制御信号とをセレクター１０７ｇに出力する。
【００７７】
セレクター１０７ｇは、第２の検波窓信号及び第２のセレクター制御信号が入力されると、第２のセレクター制御信号に応じて、出力中の第１の検波窓信号に代えて、入力された第２の検波窓信号をＬＮＡ１０２に出力する。
これにより、第２の検波窓信号がハイレベルの期間（第２の検波期間）はＬＮＡ１０２が動作状態となり、ローレベルの期間はＬＮＡ１０２が停止状態となる。
一方、第２の検波期間において判定部１０６から出力される判定信号は、同期信号生成部１０７ｄに出力されており、同期信号生成部１０７ｄは、フィードバック制御によって、この判定信号に同期する同期信号を生成する。
【００７８】
具体的に、ＰＤ２０に入力される判定信号とＶＣＯ２３からの発振信号との位相差に比例した位相差出力信号を生成してＣＰ２１に出力する。
ＣＰ２１は、入力された位相差出力信号に応じて、基準電圧レベル（例えば、ＧＮＤレベル）を基準に正・負に変化する信号をＬＰＦ２２に出力し、ＬＰＦ２２は、ＣＰ２１から入力された交流信号を直流に近い信号に変換し、これを制御電圧信号としてＶＣＯ２３及び同期信号判定部１０７ｆに出力する。
【００７９】
ＶＣＯ２３は、ＬＰＦ２２から入力された制御電圧信号に応じた周波数で発振し、その発振信号を第３の検波窓信号発生部１０７ｅ及びＰＤ２０に出力する。
つまり、ＶＣＯ２３の発振信号がフィードバック信号としてＰＤ２０に入力される。
このようなフィードバック制御を繰り返し行うことで、最終的にＶＣＯ２３の位相が判定信号の位相と一致した状態でロックされる。
一方、第３の検波窓信号発生部１０７ｅは、ＶＣＯ２３からの同期信号と、これを一定時間だけ遅延させた遅延同期信号との差分の信号を第３の検波窓信号として生成し、この生成した第３の検波窓信号をセレクター１０７ｇに出力する。
【００８０】
また、同期信号判定部１０７ｆは、ＬＰＦ２２から出力されるアナログ信号をデジタル信号に変換し、このデジタル信号と、該デジタル信号を一定時間だけ遅延させた遅延信号との差分の信号を生成する。そして、時系列に連続する２つの差分信号のレベル差と予め設定されたリファレンスレベルとを比較し、レベル差がリファレンスレベル以下のときは、同期信号が安定していることを示すハイレベルの第３のセレクター制御信号をセレクター１０７ｇに出力する。また、レベル差がリファレンスレベルより大きいときは、同期信号が不安定であることを示すローレベルの第３のセレクター制御信号をセレクター１０７ｇに出力する。
【００８１】
同期信号生成部１０７ｄにおいてフィードバック制御が開始されてからしばらくは、ＶＣＯ２３から出力される同期信号が不安定な状態となるため、その間はローレベルの第３のセレクター制御信号がセレクター１０７ｇに出力される。
セレクター１０７ｇは、第３のセレクター制御信号がローレベルの間は、第３の検波窓信号発生部１０７ｅから入力される第３の検波窓信号をＬＮＡ１０２に出力しないように動作する。
一方、ＶＣＯ２３から出力される同期信号が安定な状態になると、ハイレベルの第３のセレクター制御信号がセレクター１０７ｇに出力される。
【００８２】
セレクター１０７ｇは、出力中の第２の検波窓信号に代えて、第３の検波窓信号発生部１０７ｅから入力される第３の検波窓信号をＬＮＡ１０２に出力する。
これにより、ＬＮＡ１０２は、第３の検波窓信号がハイレベルの期間（第３の検波期間）だけ動作状態となり、それ以外の期間は停止状態となる。
ベースバンド処理部１０８は、第３の検波窓信号がＬＮＡ１０２に供給される期間において、判定部１０６から判定信号が入力されると、この判定信号に基づきパルスをデータ化し、復調データを生成する。
【００８３】
以上、本実施の形態の無線受信装置１は、アンテナ１０１で受信したパルスを、ＬＮＡ１０２において差動増幅すると共に、平衡信号（第１の交流信号及び第２の交流信号）を生成して検波回路１０３に出力することが可能である。
更に、検波回路１０３によって、ＬＮＡ１０２からの平衡信号を、正極側で全波整流した全波整流信号を生成することが可能である。
更に、ＬＰＦ１０４によって、全波整流信号に含まれる高周波成分（ノイズ成分）を低減することが可能である。
【００８４】
更に、アンプ１０５によって、全波整流信号を判定部１０６の判定処理に必要なレベルに増幅した検波信号を生成することが可能である。
更に、判定部１０６によって、検波信号に基づき、受信したパルスに含まれる情報の内容を判定することが可能である。
更に、動作制御部１０７は、第１の検波窓信号発生部１０７ａによって、第１のスタート信号に応じてハイレベルの第１の検波窓信号を生成し、これとハイレベルの第１のセレクター制御信号とをＬＮＡ１０２に供給してＬＮＡ１０２を動作状態にすることが可能である。
【００８５】
更に、第１の検波窓信号発生部１０７ａは、第２のスタート信号の入力に応じて、ハイレベルの第１の検波窓信号をローレベルに落とすことが可能である。
更に、判定信号検出部１０７ｂによって、第１の検波窓信号が供給される第１の検波期間において動作初期の判定信号を検出し、第２のスタート信号を生成することが可能である。
更に、第２の検波窓信号発生部１０７ｃによって、第２のスタート信号に応じて、予め解っているパルスの受信周期に応じたカウント値をカウントして、第２の検波期間だけＬＮＡ１０２を動作状態にする第２の検波窓信号を生成することが可能である。
【００８６】
更に、同期信号生成部１０７ｄによって、判定信号と同期する同期信号をＰＬＬによるフィードバック制御によって生成することが可能である。
更に、第３の検波窓信号発生部１０７ｅにおいて、同期信号生成部１０７ｄで生成した同期信号と、この同期信号を一定時間だけ遅延させた遅延同期信号とから、同期信号に同期した周期で、第３の検波期間だけＬＮＡ１０２を動作状態にする第３の検波窓信号を生成することが可能である。
更に、同期信号判定部１０７ｆによって、同期信号生成部１０７ｄのＬＰＦ２２の出力信号に基づき、同期信号が安定したか否かを判定し、該判定結果を示す第３のセレクター制御信号を生成することが可能である。
【００８７】
更に、セレクター１０７ｇによって、第１のセレクター制御信号がハイレベルのときは、第１の検波窓信号のみをＬＮＡ１０２に供給し、第２のセレクター制御信号がハイレベルのときは、第２の検波窓信号のみをＬＮＡ１０２に供給し、第３のセレクター制御信号がハイレベルのときは、第３の検波窓信号のみをＬＮＡ１０２に供給することが可能である。
以上より、本実施の形態の無線受信装置１は、判定信号の出力タイミングとの同期をとる間も、ＬＮＡ１０２の動作をＯＮ−ＯＦＦ制御して節電することができる。
更に、初期の状態において、判定信号が検出されると、すぐにＬＮＡ１０２の動作を停止させるようにしたので、検出されてから第２の検波窓信号が発生するまでの間も節電をすることができる。
【００８８】
上記第１の実施の形態において、ＬＮＡ１０２、アンプ１０５は、形態１２の増幅装置に対応し、判定部１０６は、形態１、１２及び１３のいずれか１の判定装置に対応し、第１のＰＬＬ回路は、形態８又は９のいずれか１のＰＬＬ回路に対応し、第１の検波窓信号発生部１０７ａは、形態１、１１及び１３のいずれか１の第１の検波窓信号発生手段に対応し、判定信号検出部１０７ｂは、形態１、２、４及び１３のいずれか１の判定信号検出手段に対応し、第２の検波窓信号発生部１０７ｃは、形態１、１１及び１３のいずれか１の形態１、２、４及び１３のいずれか１の第２の検波窓信号発生手段に対応し、第３の検波窓信号発生部１０７ｅは、形態１、１０及び１３のいずれか１の第３の検波窓信号発生手段に対応し、セレクター１０７ｇは、形態１、７及び１３のいずれか１の第１の供給信号切替手段及び第２の供給信号切替手段に対応し、同期信号判定部１０７ｆは、形態７乃至９のいずれか１の同期信号判定手段に対応し、動作制御部１０７は、形態１、２、４、７〜１１のいずれか１の動作制御装置に対応する。
【００８９】
［第１の実施の形態の変形例］
次に、本発明に係る動作制御装置、無線受信装置及び動作制御方法の第１の実施の形態の変形例を図面に基づき説明する。図１１は、本発明に係る動作制御装置、無線受信装置及び動作制御方法の第１の実施の形態の変形例を示す図である。
本変形例の無線受信装置は、上記第１の実施の形態の無線受信装置１における、動作制御部１０７の動作が一部異なる。
【００９０】
以下、図１１に基づき、上記第１の実施の形態と異なる部分を詳細に説明する。
ここで、図１１は、本変形例の無線受信装置１の各構成部に対して入出力される信号のタイミングチャートである。
本変形例の動作制御部１０７は、図１１に示すように、電源投入後の初期状態において、ハイレベルの第１の検波窓信号がＬＮＡ１０２に供給され、ＬＮＡ１０２が動作状態になったことに応じて、判定信号検出部１０７ｂにおいて、まず、１つ目（最初）の判定信号を検出する。
【００９１】
判定信号検出部１０７ｂは、１つ目の判定信号が検出されると、ハイレベルの第２のスタート信号を第２の検波窓信号発生部１０７ｃに出力する。なお、上記第１の実施の形態では、１つ目の判定信号が検出されたときに、第２のスタート信号を第１の検波窓信号発生部１０７ａに出力するようにしていたが、本変形例では出力しない。
第２の検波窓信号発生部１０７ｃは、ハイレベルの第２のスタート信号が入力されると、リング発振器が発振を開始し、カウンター回路１３のカウント動作が開始される。
一方、判定部１０６から２つ目の判定信号が出力され、判定信号検出部１０７ｂにおいて、２つ目の判定信号が検出されると、窓信号生成回路１４において、そのときのカウンター回路１３のカウント値をカウントの上限として設定する。
【００９２】
図１１の例では、カウント値「９」で２つ目の判定信号が検出されているので、「９」がカウント値の上限として設定される。具体的に、カウント値の上限「９」が設定されると、窓信号生成回路１４は、カウンター回路１３のカウント値が「９」になる毎に、リセット信号を出力してカウント値を「０」にリセットさせるように動作する。
従って、判定信号が出力されてから、カウンター回路１３が「０」〜「９」までカウントする期間が、次の判定信号が出力されるまでの期間となり、この周期に基づいて仮の検波周期が設定されることになる。
具体的に、窓信号生成回路１４は、上記第１の実施の形態と同様に、測定された周期よりも、少し余裕を持った周期で且つ余裕を持った期間でＬＮＡ１０２を動作状態にする第２の検波窓信号を発生する。
【００９３】
また、判定信号検出部１０７ｂは、２つ目の判定信号が検出されると、そのことを通知する信号を第１の検波窓信号発生部１０７ａに出力する。
第１の検波窓信号発生部１０７ａは、２つ目の判定信号が検出された通知を受けると、ハイレベルの第１の検波窓信号をローレベルに落とす。これにより、２つ目の判定信号が検出されると、すぐにＬＮＡ１０２の動作が停止状態となる。
【００９４】
以上、本変形例の無線通信装置１は、第２の検波窓信号発生部１０７ｃにおいて、検出された２つの判定信号の間の期間において、リング発振器の発振信号をカウンター回路１３でカウントして、この期間のカウント値（時間）を測定し、該カウント値をカウントの上限として設定することが可能である。
これにより、実際の動作によって検出される２つの判定信号の間の期間を測定して、第２の検波窓信号の発生タイミングを決定することができるので、装置の個体差を吸収できると共に実環境に応じた適切なタイミングで第２の検波窓信号を発生することができる。
なお、図１１の例では、初期状態から判定信号を２つ検出し、この２つの信号の間の期間をリング発振器の発振信号をカウントして測定するようにしたが、この構成に限らず、３つ以上の判定信号を検出し、各２つの信号間の期間をカウントしてそのカウント値を保持し、これらカウント値の平均値、最低値、最高値などをカウント値の上限として設定する構成としてもよい。
【００９５】
上記変形例において、判定信号検出部１０７ｂは、形態３の判定信号検出手段に対応し、第２の検波窓信号発生部１０７ｃは、形態３の第２の検波窓信号発生手段に対応し、動作制御部１０７は、形態３の動作制御装置に対応する。
なお、上記各実施の形態及び上記各変形例は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記各実施の形態及び上記各変形例に限定されるものではなく、本発明の目的を達成できる範囲での変形、改良等は本発明に含まれるものである。
【符号の説明】
【００９６】
１…無線受信装置、１０１…アンテナ、１０２…ＬＮＡ（低雑音増幅器）、１０３…検波回路、１０４…ＬＰＦ、１０５…アンプ、１０６…判別部、１０７…動作制御部、１０８…ベースバンド処理部、１０７ａ…第１の検波窓信号発生部、１０７ｂ…判定信号検出部、１０７ｃ…第２の検波窓信号発生部、１０７ｄ…同期信号生成部、１０７ｅ…第３の検波窓信号発生部、１０７ｆ…同期信号判定部、１０７ｇ…セレクター。
【図１】
2011182157.tif 000003
【図２】
2011182157.tif 000004
【図３】
2011182157.tif 000005
【図４】
2011182157.tif 000006
【図５】
2011182157.tif 000007
【図６】
2011182157.tif 000008
【図７】
2011182157.tif 000009
【図８】
2011182157.tif 000010
【図９】
2011182157.tif 000011
【図１０】
2011182157.tif 000012
【図１１】
2011182157.tif 000013